(57)【特許請求の範囲】
【請求項１】
床面上に起立する複数の脚と、
複数の前記脚上に支持される天板と、を備え、
それぞれの前記脚は、前記天板の上面に沿った第一の方向から見たときの幅寸法が、下方から上方に向けて漸次増大し、前記天板の上面に沿った面内で前記第一の方向に直交する第二の方向から見たときの幅寸法が、上方から下方に向けて漸次増大するよう形成されていることを特徴とする天板付家具。
【請求項２】
前記第一の方向は、前記天板に対して利用の多い側から正対する方向であり、前記第二の方向は前記天板に対して利用の少ない側から正対する方向であることを特徴とする請求項１に記載の天板付家具。
【請求項３】
前記第一の方向は、前記脚に対して前記天板が側方に張り出すオーバーハング寸法が小さい側から正対する方向であり、前記第二の方向は、前記脚に対して前記天板が側方に張り出すオーバーハング寸法が大きい側から正対する方向であることを特徴とする請求項１または２に記載の天板付家具。
【請求項４】
前記第一の方向は、前記天板の短手方向であり、前記第二の方向は前記天板の長手方向であることを特徴とする請求項１から３のいずれか一項に記載の天板付家具。
【請求項５】
前記第二の方向に沿って互いに対向する一対の前記脚同士の間隔が、上方から下方に向かって漸次拡大するよう、それぞれの前記脚が傾斜して設けられていることを特徴とする請求項１から４のいずれか一項に記載の天板付家具。
【請求項６】
前記脚は、前記第一の方向または前記第二の方向から見たときに台形状をなしたパネル体からなることを特徴とする請求項１から５のいずれか一項に記載の天板付家具。
【請求項７】
前記脚は、前記第一の方向に沿って間隔を空けて配置された一対の脚部と、一対の前記脚部同士を連結する連結部材と、を備えていることを特徴とする請求項１から５のいずれか一項に記載の天板付家具。
【請求項８】
前記連結部材の下面が、前記脚部の下端よりも上方に形成され、前記脚が前記床面上に設置されたときに、前記床面と前記連結部材の下面との間に隙間が形成されることを特徴とする請求項７に記載の天板付家具。
【発明の詳細な説明】
【技術分野】
【０００１】
本発明は、テーブル等の天板付家具に関する。
【背景技術】
【０００２】
各種の会議、作業、飲食等を行うテーブルは、天板と、天板を支持する支持脚と、を備えている。
このようなテーブルにおいて、例えば特許文献１に開示されているように、各支持脚を、その上端部の天板に対する接続位置に対し、下端部の床面に対する設置位置が外方に位置するようにした構成のものがある。このようなテーブルは、複数本の支持脚が、上方から下方に向かって末広がりに設けられることで、テーブルの安定性の向上が図られている。
【先行技術文献】
【特許文献】
【０００３】
【特許文献１】特許第３３４９４５３号公報
【発明の概要】
【発明が解決しようとする課題】
【０００４】
上述したようなテーブルにおいては、天板上に各種物品を載せた場合や、人が天板に寄りかかる等した場合に、天板に作用する荷重によって、支持脚自体や、天板と支持脚との接合部等が変形や損傷しないよう、十分な強度を有したものとする必要がある。これには、支持脚を太くすることが考えられる。
【０００５】
一方、支持脚を太くすると、天板の下方で、使用者の下肢に支持脚が干渉することがある。特に、テーブルを複数人で使用し、作業内容や使用人数等に応じて、天板の周囲の様々な位置に使用者が着座するような場合、使用者の下肢が支持脚に干渉しやすくなる。
そこでなされた本発明の目的は、必要な強度を確保しつつ、使用者の下肢との干渉を抑えることのできる支持脚を備えた天板付家具を提供することである。
【課題を解決するための手段】
【０００６】
本発明は、上記課題を解決するため、以下の手段を採用する。
この発明に係る天板付家具は、床面上に起立する複数の脚と、複数の前記脚上に支持される天板と、を備え、それぞれの前記脚は、前記天板の上面に沿った第一の方向から見たときの幅寸法が、下方から上方に向けて漸次増大し、前記天板の上面に沿った面内で前記第一の方向に直交する第二の方向から見たときの幅寸法が、上方から下方に向けて漸次増大するよう形成されていることを特徴とする。
【０００７】
このように、第一の方向から見たときの脚の幅寸法を、下方から上方に向けて漸次増大することで、脚の上部において天板に対する接合部分における強度を確保することができる。また、脚の下部は細くなっているので、使用者の下肢との干渉を抑えることができる。
また、第二の方向から見たときの脚の幅寸法を、上方から下方に向けて漸次増大させることで、特に天板と床面との間において、脚の上部が天板の内方に位置することとなり、天板に近い上部の空間を広く確保することができる。したがって、使用者の下肢の膝などが脚と干渉しにくくなる。
【０００８】
また、この発明に係る天板付家具は、上記天板付家具において、前記第一の方向が、前記天板に対して利用の多い側から正対する方向であり、前記第二の方向は前記天板に対して利用の少ない側から正対する方向であるようにしてもよい。
このように構成することで、天板に対して利用の多い側から見ると、天板に正対する使用者の下肢が脚に対して干渉しにくくなる。
【０００９】
この発明に係る天板付家具は、上記天板付家具において、前記第一の方向が、前記脚に対して前記天板が側方に張り出すオーバーハング寸法が小さい側から正対する方向であり、前記第二の方向は、前記脚に対して前記天板が側方に張り出すオーバーハング寸法が大きい側から正対する方向であるようにしてもよい。
このように構成することで、第二の方向は、オーバーハング寸法が大きい方向に沿うこととなる。脚は、第一の方向から見たときの脚の幅寸法が、下方から上方に向けて漸次増大しているので、第二の方向および上下方向の荷重や力に対し、天板との接合部分が高い強度を有する。したがって、天板のオーバーハング寸法が大きい部分に加わる荷重や力に対し、脚は強度を発揮することができる。
【００１０】
この発明に係る天板付家具は、上記天板付家具において、前記第一の方向が、前記天板の短手方向であり、前記第二の方向は前記天板の長手方向であるようにしてもよい。
このように構成することで、脚は、第一の方向から見たときの脚の幅寸法が、下方から上方に向けて漸次増大しているので、第二の方向である天板の長手方向および上下方向の荷重や力に対し、天板との接合部分が高い強度を有する。また、脚は、第二の方向から見たときの幅寸法が、上方から下方に向けて漸次増大しているので、第一の方向である天板の短手方向から天板に正対する使用者の下肢が、脚の上部と干渉しにくくなる。
【００１１】
この発明に係る天板付家具は、上記天板付家具において、前記第二の方向に沿って互いに対向する一対の前記脚同士の間隔が、上方から下方に向かって漸次拡大するよう、それぞれの前記脚が傾斜して設けられているようにしてもよい。
このように構成することで、天板に作用する荷重等により、一対の脚同士が第二の方向に広がる方向に力が作用する。脚は、第一の方向から見たときの脚の幅寸法が、下方から上方に向けて漸次増大しているので、第二の方向および上下方向の荷重や力に対し、天板との接合部分が高い強度を有する。したがって、一対の脚同士の間隔が上方から下方に向かって漸次拡大する構成でありながら、脚が第二の方向に広がるのを抑えることができる。
【００１２】
この発明に係る天板付家具は、上記天板付家具において、前記脚は、前記第一の方向または前記第二の方向から見たときに台形状をなしたパネル体からなるようにしてもよい。
このように構成することで、このような台形パネル状の脚において、第一の方向から見たときには、幅寸法が下方から上方に向けて漸次増大し、第二の方向から見たときには、幅寸法が上方から下方に向けて漸次増大するものとなり、外観的に特徴のある脚を有した天板付家具を構成することができる。
【００１３】
この発明に係る天板付家具は、上記天板付家具において、前記脚は、前記第一の方向に沿って間隔を空けて配置された一対の脚部と、一対の前記脚部同士を連結する連結部材と、を備えているようにしてもよい。
このように構成することで、このような一対の脚部同士が連結部材によって連結された構成の脚において、第一の方向から見たときには、幅寸法が下方から上方に向けて漸次増大し、第二の方向から見たときには、幅寸法が上方から下方に向けて漸次増大するものとなり、外観的に特徴のある脚を有した天板付家具を構成することができる。
【００１４】
この発明に係る天板付家具は、上記天板付家具において、前記連結部材の下面が、前記脚部の下端よりも上方に形成され、前記脚が前記床面上に設置されたときに、前記床面と前記連結部材の下面との間に隙間が形成されるようにしてもよい。
このように構成することで、脚を構成する連結部材の下面と床面との隙間を通して配線等を通すことができる。したがって、床面に沿って配線等が敷設されている場合に、配線との干渉を防ぐことができる。また、脚を通して床面から天板へと配線を導入させる場合に、連結部材の下面と床面との隙間を通して連結部材の下方から脚内に配線を導くことができる。
【発明の効果】
【００１５】
この発明に係る天板付家具によれば、脚の強度を確保しつつ、天板下方における下肢収容スペースを確保できる。
【図面の簡単な説明】
【００１６】
【図１】この発明の一実施形態に係るテーブルの全体構成を示す斜視図である。
【図２】上記テーブルの脚の構成を示す斜視図である。
【図３】上記テーブルを第一の方向から見た図である。
【図４】上記テーブルを第二の方向から見た図である。
【図５】上記テーブルの脚についての変形例の構成を示す斜視図である。
【図６】上記テーブルの脚についての他の変形例を示す図であり、テーブルを第一の方向から見た図である。
【図７】上記テーブルの脚についての他の変形例を示す図であり、テーブルを第二の方向から見た図である。
【発明を実施するための形態】
【００１７】
以下、添付図面を参照して、本発明による天板付家具を実施するための形態を説明する。しかし、本発明はこの実施形態のみに限定されるものではない。
【００１８】
図１は、この発明の一実施形態に係るテーブルの全体構成を示す斜視図である。図２は、上記テーブルの脚の構成を示す斜視図である。図３は、上記テーブルを第一の方向から見た図である。図４は、上記テーブルを第二の方向から見た図である。
図１に示すように、テーブル（天板付家具）１０は、床面Ｆ上に起立する複数の脚２０と、これら複数の脚２０上に支持される天板３０と、を備えている。
この実施形態のテーブル１０において、天板３０は、例えば平面視長方形状で、その上面３０ｆに沿った第一の方向Ｘに短く、上面３０ｆに沿った面内で第一の方向Ｘに直交する第二の方向Ｙに長く形成されている。天板３０は、平面視長方形状に限らず、長円形、楕円形等の平面視形状としてもよい。
【００１９】
図２〜図４に示すように、天板３０の下面には、天板３０の長手方向である第二の方向Ｙに沿って延びるビーム４０が設けられている。ビーム４０は、天板３０の短手方向である第一の方向Ｘに所定間隔を空けて二本一対で設けられている。各ビーム４０は、その長手方向（第二の方向Ｙ）に間隔を空けた複数箇所において、取付金具４１を介し、天板３０の下面に固定されている。
【００２０】
脚２０は、天板３０において第二の方向Ｙの一端側と他端側とに、それぞれ設けられている。各脚２０は、第一の方向Ｘの両端部にそれぞれ設けられた脚部材（脚部）２１、２１と、これら脚部材２１、２１の上部同士を連結する上部連結部材（連結部材）２２と、脚部材２１、２１の下部同士を連結する下部連結部材（連結部材）２３と、を備えている。
【００２１】
図２、図４に示すように、上部連結部材２２は、その上面２２ｔが、脚部材２１、２１の上端２１ｔ、２１ｔよりも、所定寸法下方に位置するよう設けられている。この上部連結部材２２の上面２２ｔ上に、上記のビーム４０が配置され、上部連結部材２２とビーム４０とが連結されている。
【００２２】
下部連結部材２３は、その下面２３ｂが、脚部材２１、２１の下端２１ｂ、２１ｂよりも所定寸法上方に位置するよう設けられている。これにより、脚２０の脚部材２１、２１が床面Ｆに接地した状態で、脚部材２１、２１間の下部連結部材２３の下面２３ｂと床面Ｆとの間には、隙間Ｓが形成され、この隙間Ｓを通して下部連結部材２３の下方に各種配線１００等を挿通させることができる。
【００２３】
図２、図３に示すように、各脚部材２１は、第一の方向Ｘから見たときの第二の方向Ｙに沿った幅寸法Ｗ１が、下方から上方に向けて漸次増大するよう形成されている。
各脚部材２１は、第一の方向Ｘから見たとき、上端２１ｔに対し下端２１ｂが、第二の方向Ｙにおけるテーブル１０の幅方向の外側に位置するよう、傾斜して設けられている。これにより、第二の方向Ｙに沿って互いに対向する一対の脚２０は、脚２０、２０同士の間隔が上方から下方に向かって漸次拡大し、略八の字状に配置されている。
【００２４】
また、図２、図４に示すように、各脚部材２１は、第二の方向Ｙから見たときに、第一の方向Ｘにおいてテーブル１０の幅方向内側に位置する内側面２１ｐが床面Ｆに対して直交する鉛直面とされている。脚部材２１は、第一の方向Ｘにおいてテーブル１０の前後方向外側に位置する外側面２１ｑが、脚部材２１の上端２１ｔから下端２１ｂに向かって、内側面２１ｐから第一の方向Ｘに沿った方向に漸次離間する傾斜面とされている。これにより、脚２０は、第二の方向Ｙから見たときの幅寸法Ｗ２が、上方から下方に向けて漸次増大するよう形成されている。
【００２５】
図２に示すように、脚２０は、例えば中空構造とされ、下部連結部材２３の下面に形成された開口部（図示無し）から、脚部材２１の内部を経て、上部連結部材２２の上面２２ｔに形成された開口部２３ｋを通して、配線１００等を配索できるようにしてもよい。この場合、脚部材２１、２１において下部連結部材２３と床面Ｆとの間に形成された隙間Ｓを通して、床面Ｆ上を沿う配線１００を、脚２０内に導くことができる。
【００２６】
図２〜図４に示すように、このような脚２０の上端部２０ｔに対し、天板３０は、第一の方向Ｘに沿った前後方向の外方、および第二の方向Ｙに沿った幅方向の外方に、それぞれオーバーハングして設けられている。天板３０の、第二の方向Ｙに沿ったオーバーハング寸法Ｈ１は、第二の方向に沿った第一の方向Ｘに沿ったオーバーハング寸法Ｈ２よりも大きく設定されている。
すなわち、第一の方向Ｘは、オーバーハング寸法Ｈ２が小さい側から天板３０に正対する方向であり、第二の方向Ｙは、オーバーハング寸法Ｈ１が大きい側から天板３０に正対する方向である。
【００２７】
上述したような構成のテーブル１０においては、図４に示すように、第一の方向Ｘから見たときの脚２０の幅寸法Ｗ１を、下方から上方に向けて漸次増大することで、脚２０の上部における天板３０に対する接合部分における強度を確保することができる。また、脚２０の下部においては、脚２０の幅寸法Ｗ２が小さくなることから、使用者の下肢と脚２０とが干渉するのを抑えることができる。
また、図３に示すように、第二の方向Ｙから見たときの脚２０の幅寸法Ｗ２を、上方から下方に向けて漸次増大させることで、脚２０の上部が天板３０の第一の方向Ｘで内方に位置することとなり、天板３０に近い上部の空間を広く確保することができる。したがって、使用者の下肢の膝などが脚２０と干渉しにくくなる。このような構成により、強度を確保しつつ、天板３０下方における下肢収容スペースＳｐを確保できる。
【００２８】
ここで、第一の方向Ｘは、天板３０の短手方向であり、第二の方向Ｙは天板３０の長手方向である。このような構成により、脚２０は、第二の方向Ｙである天板３０の長手方向第二の方向Ｙおよび上下方向の荷重や力に対し、天板３０に対する接合部が高い強度を有することとなる。また、脚２０は、第一の方向Ｘである天板３０の短手方向から天板３０に正対する使用者の下肢が、脚２０の上部と干渉しにくくなる。
ちなみに、このように一方向に長い形状の天板３０においては、一般に、長手方向（第二の方向Ｙ）に沿った長辺３０ｐにおいて天板３０に対向する使用者の数が、短手方向（第一の方向Ｘ）に沿った短辺３０ｑにおいて天板３０に対向する使用者の数よりも多い。つまり、第一の方向Ｘは、天板３０に対して利用の多い側から正対する方向であり、第二の方向Ｙは天板３０に対して利用の少ない側から正対する方向である。これによって、天板３０に対して利用の多い側から見ると、天板３０に正対する使用者の下肢が脚２０に対して干渉しにくくなる。
【００２９】
また、第一の方向Ｘは、脚２０に対して天板３０が側方に張り出すオーバーハング寸法Ｈ２が小さい側から正対する方向であり、第二の方向Ｙは、脚２０に対して天板３０が側方に張り出すオーバーハング寸法Ｈ１が大きい側から正対する方向である。脚２０は、第一の方向Ｘから見たときの脚２０の幅寸法Ｗ１が、下方から上方に向けて漸次増大しているので、第二の方向Ｙおよび上下方向の荷重や力に対し、天板３０との接合部分が高い強度を有する。したがって、天板３０のオーバーハング寸法Ｈ２が大きい部分に加わる荷重や力に対し、脚２０は強度を有効に発揮することができる。
【００３０】
また、上記テーブル１０において、第二の方向Ｙに沿って互いに対向する一対の脚２０同士の間隔が、上方から下方に向かって漸次拡大するよう、それぞれの脚２０が傾斜して設けられている。このように構成することで、天板３０に作用する荷重等により、一対の脚２０同士が第二の方向Ｙに広がる方向の力が作用する。脚２０は、第一の方向Ｘから見たときの脚２０の幅寸法Ｗ１が、下方から上方に向けて漸次増大しているので、第二の方向Ｙおよび上下方向の荷重や力に対し、天板３０との接合部分が高い強度を有する。したがって、一対の脚２０同士の間隔が上方から下方に向かって漸次拡大する構成において、脚２０が第二の方向Ｙに広がりにくく、高い強度を発揮することができる。
【００３１】
また、脚２０は、一対の脚部材２１同士が上部連結部材２２、下部連結部材２３によって連結された構成であり、このような脚２０において、第一の方向Ｘから見たときには、幅寸法Ｗ１が下方から上方に向けて漸次増大し、第二の方向Ｙから見たときには、幅寸法Ｗ２が上方から下方に向けて漸次増大するものとなり、外観的に特徴のある脚２０を有したテーブル１０を構成することができる。
【００３２】
加えて、上記テーブル１０において、下部連結部材２３の下面２３ｂが、脚部材２１の下端よりも上方に形成され、脚２０が床面Ｆ上に設置されたときに、床面Ｆと下部連結部材２３の下面２３ｂとの間に隙間Ｓが形成されている。これにより、脚２０を構成する下部連結部材２３の下面２３ｂと床面Ｆとの隙間Ｓを通して配線１００等を通すことができる。したがって、床面Ｆに沿って配線１００等が敷設されている場合に、配線１００との干渉を防ぐことができる。また、脚２０を通して床面Ｆから天板３０へと配線１００を配索させる場合に、下部連結部材２３の下面２３ｂと床面Ｆとの隙間Ｓを通して下部連結部材２３の下方から脚２０内に配線１００を導くことができる。
【００３３】
（その他の実施形態）
なお、本発明の天板付家具は、図面を参照して説明した上述の実施形態に限定されるものではなく、その技術的範囲において様々な変形例が考えられる。
図５は、上記テーブルの脚についての変形例の構成を示す斜視図である。
例えば、図５に示すように、脚２０は、第一の方向Ｘまたは第二の方向Ｙから見たときに台形状をなしたパネル体２８からなるようにしてもよい。
このように構成することで、このような台形パネル状の脚２０において、第一の方向Ｘから見たときには、幅寸法Ｗ１が下方から上方に向けて漸次増大し、第二の方向Ｙから見たときには、幅寸法Ｗ２が上方から下方に向けて漸次増大するものとなり、外観的に特徴のある脚２０を有したテーブル１０を構成することができる。また、脚２０を台形パネル状とすることで、脚２０が広幅となり、脚２０単体での強度が高められる。
【００３４】
また、上記実施形態において、脚２０は、第一の方向Ｘから見たときの幅寸法Ｗ１が、下方から上方に向けて漸次増大し、第二の方向Ｙから見たときの幅寸法Ｗ２が、上方から下方に向けて漸次増大するよう形成したが、これに限らない。
図６は、上記テーブルの脚についての他の変形例を示す図であり、テーブルを第一の方向から見た図である。図７は、上記テーブルの脚についての他の変形例を示す図であり、テーブルを第二の方向から見た図である。
図６、図７に示すように、脚２０は、第一の方向Ｘから見たときの幅寸法Ｗ１が、上方から下方に向けて漸次増大し、第二の方向Ｙから見たときの幅寸法Ｗ２が、下方から上方に向けて漸次増大するよう形成してもよい。
【００３５】
さらに、上記実施形態で示した構成において、脚２０を構成する脚部材２１、２１を、上部連結部材２２、下部連結部材２３で連結するようにしたが、上部連結部材２２、下部連結部材２３のいずれか一方のみを備えるようにしてもよい。また、上部連結部材２２、下部連結部材２３を備えず、脚部材２１、２１のみにより脚２０を構成することもできる。この場合、脚部材２１、２１のそれぞれが本発明の主旨を備えていれば、上記と同様の作用効果を得ることができる。
これに限らず、脚２０は、上記実施形態およびその変形例に示した以外の形状、構成とすることができる。
【００３６】
また、第二の方向Ｙに沿って互いに対向する一対の脚２０は、脚２０、２０同士の間隔が上方から下方に向かって漸次拡大するよう設けられて、略八の字状に配置したが、これに限らない。一対の脚２０、２０は、それぞれ床面Ｆから鉛直上方に延びるよう、互いに平行に配置されていても良い。また、一対の脚２０は、脚２０、２０同士の間隔が上方から下方に向かって漸次縮小するよう、略逆八の字状に配置してもよい。
【００３７】
さらに、上記実施形態で示したテーブル１０を構成する脚２０、天板３０等の部材の材質については、何ら問うものではなく、木系材料、金属系材料、樹脂系材料、あるいはこれらを組み合わせて形成した構成としてもよい。
加えて、テーブル１０に限らず、カウンター等、他の天板付家具においても、本発明は同様に適用することができる。
これ以外にも、本発明の主旨を逸脱しない限り、上記実施の形態で挙げた構成を取捨選択したり、他の構成に適宜変更したりすることが可能である。
【符号の説明】
【００３８】
１０  テーブル（天板付家具）
２０  脚
２１  脚部材（脚部）
２２  上部連結部材（連結部材）
２３  下部連結部材（連結部材）
２３ｂ  下面
２８  パネル体
３０  天板
３０ｆ  上面
Ｆ  床面
Ｈ１  オーバーハング寸法
Ｈ２  オーバーハング寸法
Ｓ  隙間
Ｓｐ  下肢収容スペース
Ｗ１  幅寸法
Ｗ２  幅寸法
Ｘ  第一の方向
Ｙ  第二の方向
【図１】
0006541256.tif 000002
【図２】
0006541256.tif 000003
【図３】
0006541256.tif 000004
【図４】
0006541256.tif 000005
【図５】
0006541256.tif 000006
【図６】
0006541256.tif 000007
【図７】
0006541256.tif 000008